(57)【特許請求の範囲】
【請求項１】
無線通信システムの基地局で使用される装置において、
ページングメッセージを生成する生成器手段と、
リモート無線端末へスーパータイムスロットを送信する送信器手段と、
ページングメッセージを複数の無線端末に送信するために周期的に繰り返すスーパータイムスロットを含むスーパータイムスロットフォーマットを生成するフォーマッタ手段とを含み、該複数のスーパータイムスロットの各々は複数のタイムスロットを含み、各タイムスロットは無線端末ページングメッセージを送信するためのものであり、前記装置は、
前記スーパータイムスロットに関連した無線端末へページングメッセージを送信するためにスーパータイムスロット内の第１の利用可能なタイムスロットを選択するセレクタ手段と、
スーパータイムスロットの同じタイムスロットに対して競合する複数のページングメッセージ間の競合を解決する手段とを含み、
電力消費は軽減され、そしてページングメッセージの送信遅延は軽減される
ことを特徴とする装置。
【請求項２】
請求項１の装置において、１または複数の前記無線端末は特定のスーパータイムスロットに関連している装置。
【請求項３】
請求項２の装置において、前記複数のスーパータイムスロットは重複していない装置。
【請求項４】
請求項２の装置において、次のスーパータイムスロットの生起を検出するスーパータイムスロットタイマー手段をさらに含み、前記発生器手段は、現在の予定される無線端末のためのページングメッセージをさらに生成しており、前記送信器手段は、前記現在の予定される無線端末へ前記選択したタイムスロット内の前記生成したページングメッセージをさらに送信している装置。
【請求項５】
請求項２の装置において、前記スーパータイムスロットの隣接しているものは１または複数のタイムスロットを共通して持っている装置。
【請求項６】
請求項５の装置において、前記送信器手段は、呼び出される予定の現在の無線端末に関連したスーパータイムスロットのタイムスロット内で無線端末への呼び出しをさらに送信しており、前記検出器手段は、スーパータイムスロットが呼び出される予定の現在の無線端末のスーパータイムスロットよりも時間的に早い無線端末のために予定されるページングメッセージがあるかどうかをさらに決定しており、前記送信器手段は、最も早いスーパータイムスロットを有すると決定される無線端末に関連したスーパータイムスロットのタイムスロットでページングメッセージをさらに送信している装置。
【請求項７】
ページングメッセージを受信するために無線通信システム（２００）の無線端末で使用される装置において、
スタンバイモードの動作において、前記無線端末を制御可能に維持する制御器手段と、
複数の無線端末へページングメッセージを送信するために周期的に繰り返す複数のスーパータイムスロットを含むスーパータイムスロットフォーマットを受信する受信器手段とを含み、該複数のスーパータイムスロットの各々は複数のタイムスロットを含み、各タイムスロットは無線端末ページングメッセージを送信するためのものであり、
前記制御器は、前記無線端末ために予定されるページングメッセージのために、前記無線端末に関連した、受信スーパータイムスロットの間隔だけを監視するモニターモードに前記無線端末を入れて、その他の場合にはスタンバイモードへ戻しており、
電力消費が軽減されることを特徴とする装置。
【請求項８】
請求項７の装置において、前記制御器手段は、前記無線端末に関連した前記スーパータイムスロットが前記無線端末のために予定されるページングメッセージを含むかどうかを決定するようにしている装置。
【請求項９】
請求項８の装置において、前記無線端末は、出力信号を送信するようになっている送信器手段をさらに含み、前記制御器手段は、前記無線端末に関連した前記スーパータイムスロットが前記無線端末のために予定されるページングメッセージを含むときに、前記無線端末が前記送信器手段を介してページング応答メッセージを送信するように制御しており、前記制御器手段は、前記無線端末に関連した前記スーパータイムスロットが前記無線端末のために予定されるページングメッセージを含まないときには、前記無線端末を前記スタンバイモードにさらに入らせるようになっている装置。
【請求項１０】
請求項７の装置において、前記スーパータイムスロットフォーマットは、スーパータイムスロットがその隣接スーパータイムスロットに共通する少なくとも１つのタイムスロットを持つように生成され、前記スーパータイムスロットが前記共通する少なくとも１つのタイムスロットを共有して輻輳を生じさせない能力を持つ装置。
【発明の詳細な説明】
【０００１】
【発明の属する技術分野】
本発明は、無線通信システムに関し、特に無線端末と基地局との間の無線通信に関する。
【０００２】
【従来の技術】
無線通信システムにおいては、無線端末は基地局と活性状態で通信することなしに基地局への接続を維持することができる。このような無線端末はページングモードにあると称する。このようなシステムにおいて、無線端末（ＷＴ）は関連する基地局（ＢＳ）によりページングされて通信を開始する。これを実行するためには、基地局はダウンリンク上のページングチャネルと称するチャネルを通常有する。従来、公知のページング構成においては、ページングチャネルは複数のページングタイムスロットに分割される。一群の無線端末に通常関連する基地局からページングメッセージを受領するために所定の周期性を有するページングタイムスロットが割り当てられる。
【０００３】
図１に示すように、無線端末２０３−１，２０３−２にタイムスロットＡが割り当てられ、無線端末２０３−３，２０３−４にタイムスロットＣが割当てられる、以下同様である。各移動局はこれらのページングタイムスロットの間、関連する基地局からページングメッセージをモニタすることになっている。かくして、図１に示した実施例においては、無線端末２０３−１，２０３−２のみがタイムスロットＡ，Ｂを監視し、一方、無線端末２０３−３，２０３−４のみがタイムスロットＣ，Ｄを監視するようになっている。このためページングタイムスロットの周期性は十分長く、各務先端末は２つの指定されたページングタイムスロットの間、その周期性の大部分をターンオフしてエネルギをセーブしている。これは無線端末がいわゆるスリープモードに入っていると称する。
【０００４】
無線端末はスリープモードに入った状態でも、ページングタイムスロットの追跡をしなければならない。無線端末は、指定されたページングタイムスロットが到着する前に「ウェークアップ（起きて）」ダウンリンクチャネルに同調してキャリアとタイマーとフレームの同期化を実行する。その後、無線端末はページングタイムスロットを復号化して自分の識別子が無線端末の指定されたページングタイムスロットに含まれている場合には、その無線端末はページングメッセージが自分に向けられたものであるということを知ることになる。その後、無線端末はページングメッセージ内に指示された適宜のアクションをとる。ページングメッセージがその無線端末に向けられたものではない場合には、無線端末はスリープモードに戻り、自分に対し指定された次に受信するページングタイムスロットを監視する。
【０００５】
【発明が解決しようとする課題】
図１に示すように、複数の無線端末は同一のページングタイムスロットを共有する。一般的に特定の無線端末に向けたページングメッセージが頻繁に到着する訳ではなく、別の無線端末に向けたページングメッセージも相互に独立したタイムスロットで到着する。したがって、複数の無線端末間でいわゆるページングタイムスロットを共有することは、ページングチャネルを利用するより効率的な方法である。しかし、複数の無線端末間でページングタイムスロットを共有することの問題点は、複数のページングメッセージが特定のページングタイムスロットを共有する複数の無線端末に対し同時に到着したときには、ページングメッセージを受領する遅延が増加する点である。例えば無線端末２０３−１，２０３−２の両方に対し図１のタイムスロットＡでページングメッセージが到着したとすると、関連する基地局は、タイムスロットＡ内のページングメッセージのうちの１つのみを送信することができる。例えば、無線端末２０３−１に向けたメッセージのみを送信することができる。その後基地局は、無線端末２０３−２に向けたページングメッセージを送信するためには、タイムスロットＢまで待機しなければならない。ページングメッセージの到着割合およびページングタイムスロットを共有する無線端末の数によっては、この遅延は長くなりすぎて好ましくないことがある。
【０００６】
【課題を解決するための手段】
前記課題は、本発明の一実施例により独自のページングスーパータイムスロットフォーマットを採用することにより解決できる。本発明によるページングスーパータイムスロットは、複数の所定のタイムスロットを含む。各無線端末は周期的に生成されるスーパータイムスロットに関連づけられる。スーパータイムスロットは１つあるいは複数の無線端末に関係づけられる。
【０００７】
基地局は、スーパータイムスロット内の第１の利用可能なタイムスロットを選択してページングメッセージをそのスーパータイムスロットに関連する無線端末に送信する。各無線端末は関連するスーパータイムスロット内の全てのタイムスロットを監視するが、これは関連するページングメッセージの受領を検出するまで、あるいは空のタイムスロットを検出するまで行われる。
【０００８】
本発明の他の実施例においては、部分的にオーバーラップするスーパータイムスロットフォーマットを採用し、この方式においては、スーパータイムスロットは、隣接するスーパータイムスロットに共通する少なくとも１つのタイムスロットを有する。この方式により隣接するスーパータイムスロットに関連する無線端末は、少なくとも１つのタイムスロットを共有する。そして、その結果トラフィック負荷がバランスし、トラフィックの変動を平均化して輻輳を減らすことができる。本発明の利点は、ページングメッセージを送信する基地局ひいてはページングメッセージを受領する無線端末の処理の遅延性を大幅に減らすことができる。
【０００９】
【発明の実施の形態】
図２は、本発明による無線多重アクセス通信システムのブロック図である。本発明は、移動無線通信システムを例に説明しているが移動しない、例えば固定無線通信システムにも同様に適用ができる。このような移動無線通信システムは、直交周波数分割多重化（Orthogonal Frequency Division Multiplexed,ＯＦＤＭ）ベースの拡散スペクトラム多重アクセスシステムである。
【００１０】
多重アクセス無線通信システム２００はアンテナ２０２を有する基地局２０１とアンテナ２０４−１〜２０４−Ｍを有する遠隔地にある無線端末、即ち無線端末２０３−１〜２０３−Ｍを有する。信号の送信は、基地局２０１と遠隔地にある無線端末２０３との間で送受信される。全ての無線端末２０３は伝送スペクトラムをダイナミックな方式で共有する。
【００１１】
この実施例においては、基地局２０１は送信器２０５と受信器２０７と制御器２０６を有し、アンテナ２０２を介して無線メッセージを送受信する。制御器２０６を用いて、本発明により送信器２０５と受信器２０７の動作を制御する。同様にこの実施例においては、各無線端末２０３−１〜２０３−Ｍは、送信器２０８と受信器２１０と制御器２０９を有し、アンテナ２０４を介して無線メッセージを送受信する。制御器２０９を用いて本発明により送信器２０８と受信器２１０の動作を制御する。
【００１２】
基地局２０１は、ページングメッセージを無線端末２０３送信する。通常、無線端末２０３は、スタンバイモードで使用されていないときには、「スリープ」モードにあると称する。スリープモードにおいては、無線端末２０３内の回路の大部分はターンオフしてエネルギを節約し、それによりバッテリ寿命を延ばしている。各無線端末２０３が自分に向けられたページングメッセージがあるか否かを検出するために、特定の無線端末２０３はスリープモードから抜け出して、即ちウェークアップして関連するページングメッセージ用の来入してくるタイムスロットを監視しなければならない。
【００１３】
上記したように図１は、基地局２０１と無線端末２０３との間のページングメッセージの通信用の従来のタイムスロットフォーマットを表す。複数の無線端末２０３がタイムスロットを共有することができるために、複数のページングメッセージが無線端末２０３に送信するために同時に到着することが可能である。基地局２０１は、１つのタイムスロットで１つのページングメッセージしか送信できないために、別のページングメッセージは送信すべき後続のタイムスロットまで待機しなければならない。同時に到着するページングメッセージの数およびタイムスロットを共有する無線端末２０３の数によっては、特定のページングメッセージを送信する遅延量は、非常に大きくなることがある。
【００１４】
図３は、ページングメッセージの送受信における遅延量を大幅に減らした本発明によるスーパータイムスロットフォーマットを表す。図３に示すように、複数の所定のタイムスロットがスーパータイムスロットにグループ分けされる、例えばタイムスロットＡ１，Ａ２がスーパータイムスロット＃１に、タイムスロットＡ３，Ａ４がスーパータイムスロット＃２にグループ分けされる。適宜のページングメッセージを含んだこれらのスーパータイムスロットがフォーマット化されて基地局２０１から無線端末２０３に送信される。
【００１５】
この実施例においては、無線端末２０３−１〜２０３−４が、スーパータイムスロット＃１を共有する。ページングメッセージは基地局２０１により生成され、ページングされるべき現在の無線端末２０３に関係するスーパータイムスロットのタイムスロット内に挿入される。いかなる数のタイムスロットもスーパータイムスロットにグループ分けすることも可能であり、また所望数のスーパータイムスロットを周期的に繰り返すスーパータイムスロットフォーマットのサイクルにすることも可能である。
【００１６】
タイムスロットをスーパータイムスロットにグループ分けすることにより、どのスーパータイムスロットの全てのタイムスロットにおける衝突の確率を統計的多重化により大幅に減らすことができる。したがって、ページングメッセージを受領する無線端末２０３における遅延も大幅に減らすことができる。しかし、無線端末２０３は、より多くの数のタイムスロットを監視する必要があり、これは計算負荷を増加させることになる。
【００１７】
図４は、無線端末２０３の計算負荷を減らすための本発明によるスーパータイムスロットフォーマットを表す。ページングメッセージ用のスーパータイムスロットを監視する際に無線端末に要求される計算負荷を減らすために、基地局２０１と無線端末２０３は、図３に示したスパータイムスロットフォーマットを採用する際の所定のプロトコールに従う。具体的に説明すると、基地局２０１はページングメッセージを無線端末２０３に送信するために第１の利用可能なタイムスロットを採用する。各無線端末２０３は、ページングメッセージ用の関連するスーパータイムスロットを監視して、自分に向けられたページングメッセージを受領するかあるいは空のタイムスロットを検出するかのいずれかによって、監視動作を中止する。空のタイムスロットは、そのときにページングメッセージが送信されていないタイムスロットと定義する。
【００１８】
ページングメッセージ用の第１の利用可能なタイムスロットとは、基地局２０１がページングメッセージを送信することのできる、宛先の（意図した）無線端末に関連するスーパータイムスロット内の最も早いタイムスロットである。例を挙げて説明する。無線端末２０３−１〜２０３−４が、スーパータイムスロット＃１を共有し、この実施例においては、スーパータイムスロット＃１はタイムスロットＡ１，Ａ２を含む。スーパータイムスロット＃１において、基地局２０１は宛先の無線端末２０３−１に送信すべきページングメッセージを有しているとする。タイムスロットＡ１において、基地局２０１は送信すべき他のページングメッセージを有していない場合には、基地局２０１は上記のプロトコールに従ってタイムスロットＡ１でページングメッセージを送信する。
【００１９】
このタイムスロットＡ１がページングメッセージ＃１の第１の利用可能なタイムスロットである。タイムスロットＡ１において、送信すべき別のページングメッセージがある場合には、基地局２０１はどのページングメッセージをタイムスロットＡ１で送信すべきかを決定する。例えば基地局２０１がタイムスロットＡ１で無線端末２０３−１に向けた現ページングメッセージを送信すると決定した場合には、タイムスロットＡ１がページングメッセージ＃１の第１の利用可能なタイムスロットである。基地局２０１がタイムスロットＡ１で別のページングメッセージを送信すると決定した場合には、タイムスロットＡ２が無線端末２０３−１に向けたページングメッセージを送信するための第１の利用可能なタイムスロットである。
【００２０】
さらに基地局２０１がスーパータイムスロット＃１内のタイムスロットＡ１，Ａ２で別のページングメッセージを送信すると決定したときには、宛先の無線端末２０３−１に向けたページングメッセージ用の第１の利用可能なタイムスロットは、フォーマットの次のサイクルの２０３−１に関連するスーパータイムスロットのタイムスロットである。無線端末２０３に関連するスーパータイムスロットに共通のタイムスロットで、無線端末２０３に送信すべき複数のページングメッセージを有する例においては、ページングメッセージは１つの共通のタイムスロットを得るために競合する。このタイムスロットの競合は、ランダムなベースに基づいて解決することもある。しかし、これはあるときには好ましくないものである。
【００２１】
よりよい解決法は、システム性能を向上させるために、例えばページングメッセージの送信の遅延を減らすために、特定の固定プロセスにより競合を解決することである。本発明によれば、全ての無線端末の中で最も早いスーパータイムスロットを有する無線端末２０３に向けられたページングメッセージに共通のタイムスロットを割当てるプロセスを採用する。最も早いスーパータイムスロットは、図９のステップ９０５に関係して説明する。
【００２２】
基地局２０１がスーパータイムスロット＃１で送信すべきページングメッセージを有していないとすると、タイムスロットＡ１でのメッセージの送信はなくタイムスロットは空である。タイムスロットＡ１が空であることを関連する無線端末２０３−１〜２０３−４が検出すると、無線端末はタイムスロットＡ２の監視を停止しこれにより計算負荷を減らす。本発明によれば、基地局２０１がスーパータイムスロット１に関連する無線端末に対し送信すべき少なくとも１つのページングメッセージを有している場合には、基地局２０１はページングメッセージが送信されるタイムスロットの前に空のタイムスロットを有してはならず、その結果この実施例において、無線端末２０３−１〜２０３−４は送信したページングメッセージを失うことはない。その理由は、ページングメッセージを含むタイムスロットに先行する空のタイムスロットを検出するからである。
【００２３】
図３，４のスーパータイムスロットフォーマットにおいては、ページングメッセージトラフィックが変動するために、衝突（輻輳）がスーパータイムスロットで発生することがある。この輻輳を最小にする技術は、多数のタイムスロットを有するスーパータイムスロットを用いることである。しかしスーパータイムスロット内に沢山のタイムスロットを用いることは、無線端末２０３によるページングメッセージ用のスーパータイムスロットを監視するためにより多くの計算が必要となる。
【００２４】
図５は、隣接するスーパータイムスロットが少なくとも１つのタイムスロットを共有する部分的にオーバーラップするスーパータイムスロットフォーマットを示す。無線端末２０３は関連するスーパータイムスロットを監視してページングメッセージを検出する。例としてスーパータイムスロット＃１は、タイムスロットＡ１，Ａ２を含み、スーパータイムスロット＃２は、タイムスロットＡ２，Ａ３を含み以下同様である。無線端末２０３−１と２０３−２は、スーパータイムスロット＃１を共有し、無線端末２０３−２と２０３−３は、スーパータイムスロット＃２を共有し以下同様である。
【００２５】
したがってこの実施例においては、タイムスロットＡ２はスーパータイムスロット＃１とスーパータイムスロット＃２とに共通である。スーパータイムスロットによりタイムスロットが一部オーバーラップしているために、スーパータイムスロット上のページングトラフィックメッセージ負荷はバランスし、スーパータイムスロットにおける輻輳の確率を減らすことができる。
【００２６】
図６は、本発明を実施する際の図３，４のオーバーラップしていないスーパータイムスロットフォーマットを示す。基地局２０１は、無線端末２０３−１，２０３−２，２０３−３，２０３−５，２０３−７に送信すべきページングメッセージを有している。無線端末２０３−１，２０３−２，２０３−５，２０３−７に向けたページングメッセージは、それぞれタイムスロットＡ１，Ａ２，Ａ３，Ａ４で送信される。
【００２７】
しかし、無線端末２０３−３に向けたページングメッセージは次のスーパータイムスロット＃１で送信しなければならない。その理由は、現在のスーパータイムスロット＃１内は混雑（輻輳）しているからである。かくして、無線端末２０３−３に向けたページングメッセージは、関連するスーパータイムスロット＃１内の第１の利用可能なタイムスロット、この実施例においては次のスーパータイムスロット＃１サイクルで送信される。
【００２８】
図７は、隣接するスーパータイムスロットが少なくとも１個のタイムスロットを共有する部分的に一部がオーバーラップするスーパータイムスロットフォーマットを示す。ここで、基地局２０１が無線端末２０３−１，２０３−２，２０３−３，２０３−５，２０３−７に送信すべきページングメッセージを有しているとする。無線端末２０３−１，２０３−２，２０３−３，２０３−５，２０３−７に向けたページングメッセージは、それぞれタイムスロットＡ１，Ａ２，Ａ３，Ａ４，Ａ５で送信される。そのため、一部がオーバラップするスーパータイムスロットフォーマットは、無線端末２０３−１，２０３−２，２０３−３，２０３−５，２０３−７内のページングメッセージを受領し検出する際に遅延が少なくなる。
【００２９】
図８は、無線端末２０３がページングメッセージを受領し検出し応答するプロセスのステップのフローチャートを表す。プロセスは、パワーセービングモード即ちスリープ（スタンバイ）モードで開始する（ステップ８０１）。その後、ステップ８０２は、スーパータイムスロットタイマーが時間切れとなったかを決定するためにテストを行う。ステップ８０２におけるテスト結果がＮＯの場合には、ステップ８０２はＹＥＳの結果（スーパータイムスロットがタイムアウトしたことを示す）を生成するまで繰り返す。スーパータイムスロットタイマーの時間切れは、関連する無線端末２０３に対し無線端末２０３がページングメッセージを受信したかを検出するために関連するスーパータイムスロットを開始するためにターンオン、即ちウェークアップしていることを示す。
【００３０】
その後、ステップ８０３により現在のスーパータイムスロットに対するタイムスロットインデックスをＫ＝１に設定する。ステップ８０４により、関連する無線端末２０３がスーパータイムスロットのタイムスロットＫ内のページングメッセージを復号化する。ステップ８０５は、復号化されたページングメッセージは特定の無線端末２０３に向けられたものか否かを決定するためにテストする。テスト結果が、ＹＥＳの場合には、ページングメッセージはこの特定の無線端末２０３に向けられたものであり、ステップ８０６によりこの特定の無線端末２０３が応答する。
【００３１】
ステップ８０５におけるテスト結果がＮＯの場合、ステップ８０７は、タイムスロットＫが空であるか否か、即ちＫ≧Ｎであるか否かを決定するためのテストを行う。Ｎは、スーパースロット内のタイムスロットの数を表す。ステップ８０７におけるテスト結果がＮＯの場合、ステップ８０８により無線端末２０３は、タイムスロットインデックスをＫ＝Ｋ＋１にして、制御はステップ８０４に戻り、ステップ８０４〜８０８からの１つがステップ８０５またはステップ８０７のいずれかがＹＥＳの結果を出すまで繰り返される。
【００３２】
再びステップ８０５がＹＥＳの結果を出した場合、ステップ８０６は上記に従って対応する。ステップ８０７がＹＥＳの結果を出した場合、ステップ８０９は、スーパータイムスロットタイマーをリセットして制御をステップ８０１に戻す。このステップ８０１により無線端末２０３はスリープモードに入る。その後、ステップ８０１〜８０９のうちのいずれかのステップが上記したように繰り返される。
【００３３】
図９は、ページングメッセージを無線端末２０３に送る基地局２０１内のプロセスのステップを表すフローチャート図である。プロセスはステップ９０１で特定の無線端末２０３に当てたページングメッセージを生成する基地局２０１により行われる。その後、ステップ９０２により基地局２０１は、宛先の（意図した）無線端末２０３に関連する次のスーパータイムスロットを待機する。
【００３４】
これはスーパータイムスロットタイマーが時間切れになるか否かを決定するためにテストするステップ９０３により行われる。ステップ９０３におけるテスト結果がＮＯの場合、ステップ９０３はＹＥＳ結果がでるまで繰り返される。ステップ９０３におけるＹＥＳ結果は、スーパータイムスロットが到着したことを表し、ステップ９０４により基地局２０１は、現在のスーパータイムスロットのタイムスロットインデックスをＫ＝１に設定する。
【００３５】
その後、ステップ９０５は、特定の意図された無線端末２０３用のスーパータイムスロットの時間的に前の関連するスーパータイムスロットを有する別の無線端末２０３に向けられたページングメッセージがあるか否かを決定するためのテストを行う。前のスーパータイムスロットの最後のタイムスロットが後のスーパータイムスロットの最後のタイムスロットよりも先行する場合には、前のスーパータイムスロットは、後のスパータイムスロットよりも時間的に早いことになる。それらの最後のタイムスロットが完全にオーバーラップした場合には２個のスーパータイムスロットは「同時」である。
【００３６】
ステップ９０５のテスト結果がＮＯの場合には、ステップ９０６により基地局２０１はページングメッセージを特定の宛先の無線端末２０３に送信する。ステップ９０５におけるテスト結果がＹＥＳの場合には、ステップ９０７により基地局２０１はステップ９０５で示したように他の無線端末２０３にページングメッセージを送信する。（図９には示していないが、宛先の無線端末２０３用のスーパータイムスロットと同時の関連するスーパータイムスロットを有する別の無線端末２０３向けにページングメッセージがある場合には、基地局２０１はいずれかのページングメッセージを送信するよう選択できる。）
【００３７】
その後、ステップ９０８はタイムスロットインデックスがＫ≧Ｎかどうかを決定するためのテストをする。Ｎは、スーパースロット内のタイムスロットの数を表す。ステップ９０８におけるテスト結果がＮＯの場合、ステップ９０９により基地局２０１は、タイムスロットインデックスをＫ＝Ｋ＋１に設定し、制御をステップ９０５に戻す。その後、ステップ９０５〜９０９の適宜のステップがステップ９０５がＮＯの結果を出すかあるいはステップ９０８がＹＥＳの結果を出すかのいずれかまで繰り返される。
【００３８】
ステップ９０５がＮＯの結果を出す場合には、ステップ９０６により基地局２０１は、特定の宛先の無線端末２０３にページングメッセージを送信する。ステップ９０８がＹＥＳ結果を出す場合には、ステップ９１０により基地局２０１はスーパータイムスロットタイマーをリセットして制御をステップ９０２に戻す。ステップ９０２〜９１０のいずれかの適宜のステップが上記したように繰り返される。
【００３９】
本発明は実施例に限定されるものではなく、本発明は様々な装置、例えば集積回路のようなハードウェアあるいはマイクロプロセッサ上のプログラミングあるいはデジタル信号プロセッサ上のプログラミングで実行することができる。
【００４０】
特許請求の範囲の発明の要件の後に括弧で記載した番号がある場合は、本発明の一実施例の対応関係を示すものであって、本発明の範囲を限定するものと解釈すべきではない。
【図面の簡単な説明】
【図１】無線通信システムにおいてページングメッセージを送信するのに用いられる従来のタイムスロットフォーマットを表す図
【図２】本発明が用いられる無線多重アクセス通信システムのブロック図
【図３】本発明によるスーパータイムスロットフォーマットを表す図
【図４】本発明によるスーパータイムスロットフォーマットを表す図
【図５】隣接するスーパータイムスロットが少なくとも１つのタイムスロットを共有する部分的にオーバラップするスーパータイムスロットフォーマットを表す図
【図６】本発明を実行する際に用いられる図３，４のオーバーラップしないスーパータイムスロットフォーマットを表す図
【図７】隣接するスーパータイムスロットが少なくとも１つのタイムスロットを共有する部分的にオーバラップするスーパータイムスロットフォーマットと本発明を実行する際にその使用方法を示す図
【図８】無線端末がページングメッセージを受領し、それに応答するプロセスのステップを表すフローチャート図
【図９】基地局がページングメッセージを生成し、それを無線端末に送信するプロセスのステップを表すフローチャート図
【符号の説明】
２００  多重アクセス無線通信システム
２０１  基地局
２０２，２０４  アンテナ
２０３  無線端末
２０５，２０８  送信器
２０６，２０９  制御器
２０７，２１０  受信器
８０１  スタンバイモードにある
８０２  スーパータイムスロットタイマーが時間切れか？
８０４  スーパータイムスロット内のタイムスロットＫを復号化する
８０５  ページングメッセージがその無線端末に属するか？
８０６  ページングメッセージに応答する
８０７  タイムスロットＫが空かまたはＫ≧Ｎか？
８０９  スーパータイムスロットタイマーをリセットする
９０１  宛先の無線端末に向けてページングメッセージが生成される
９０２  次のスーパータイムスロットを待つ
９０３  スーパータイムスロットタイマーが時間切れか？
９０５  宛先の無線端末のスーパータイムスロットよりも早いスーパータイムスロットを有するページングすべき別の無線端末があるか？
９０６  宛先の無線端末をページングする
９０７  その無線端末をページングする
９１０  スーパータイムスロットタイマーをリセットする
【図１】
0004004797.tif 000002
【図２】
0004004797.tif 000003
【図３】
0004004797.tif 000004
【図４】
0004004797.tif 000005
【図５】
0004004797.tif 000006
【図６】
0004004797.tif 000007
【図７】
0004004797.tif 000008
【図８】
0004004797.tif 000009
【図９】
0004004797.tif 000010